【手続補正書】
【提出日】平成23年8月8日(2011.8.8)
【手続補正１】
【補正対象書類名】特許請求の範囲
【補正対象項目名】全文
【補正方法】変更
【補正の内容】
【特許請求の範囲】
【請求項１】
外部近接物体を検出する検出機能を有する入力パネルと、
前記入力パネルにより得られた前記外部近接物体の検出信号に基づいて、前記外部近接物体の位置情報および面積情報を取得する位置検出部と、
前記位置検出部により得られた前記位置情報および前記面積情報に基づいて、前記外部近接物体の挙動に応じた描画処理を行う際に用いられる描画データを、前記面積情報が示す前記外部近接物体の面積値に応じた態様で前記描画処理が行われるように生成する画像生成部と
を備えた情報入力装置。
【請求項２】
前記描画データは、前記描画処理の際の線幅、濃淡および色合いのうちの少なくとも１つの描画属性を含む描画属性情報と、前記位置情報とを含み、
前記画像生成部は、前記外部近接物体の面積値に応じて前記描画属性が変化するように、前記描画データを生成する
請求項１に記載の情報入力装置。
【請求項３】
前記画像生成部は、前記外部近接物体の面積値と前記描画属性情報との対応関係を定める変換テーブルを有する
請求項２に記載の情報入力装置。
【請求項４】
前記変換テーブルにおいて、前記外部近接物体の面積値と前記描画属性情報との対応関係が、１次関数により規定されている
請求項３に記載の情報入力装置。
【請求項５】
前記画像生成部は、
前記外部近接物体の移動に伴って時間軸に沿って複数の面積情報が得られている場合には、
これらの面積情報のそれぞれに応じて前記描画属性情報を求めると共に、
これらの得られた描画属性情報に基づいて、前記描画処理の際に前記描画属性がなだらかに変化するように新たな描画属性情報を生成して追加する補間処理を行う
請求項２ないし請求項４のいずれか１項に記載の情報入力装置。
【請求項６】
前記入力パネルが、
互いに対向する第１基板および第２基板と、
前記第１基板と前記第２基板との間に形成され、前記第２基板のたわみにより接触可能な第１センサ電極および第２センサ電極と
を有すると共に、
前記第１センサ電極および前記第２センサ電極の接触による電位の変化に基づき、前記外部近接物体の位置に応じた第２基板のたわみ位置を検出するものである
請求項１に記載の情報入力装置。
【請求項７】
前記入力パネルが、撮像面に沿って配列され、前記外部近接物体で反射された光を受光する複数の受光要素を有するものである
請求項１に記載の情報入力装置。
【請求項８】
外部近接物体を検出する検出機能を有する入力パネルにより得られた前記外部近接物体の検出信号に基づいて、前記外部近接物体の位置情報および面積情報を取得し、
得られた前記位置情報および前記面積情報に基づいて、前記外部近接物体の挙動に応じた描画処理を行う際に用いられる描画データを、前記面積情報が示す前記外部近接物体の面積値に応じた態様で前記描画処理が行われるように生成する
情報入力方法。
【請求項９】
外部近接物体を検出する検出機能と画像表示機能とを有する入出力パネルと、
前記入出力パネルにより得られた前記外部近接物体の検出信号に基づいて、前記外部近接物体の位置情報および面積情報を取得する位置検出部と、
前記位置検出部により得られた前記位置情報および前記面積情報に基づいて、前記外部近接物体の挙動に応じた描画処理を行う際に用いられる描画データを、前記面積情報が示す前記外部近接物体の面積値に応じた態様で前記描画処理が行われるように生成する画像生成部と
を備え、
前記入出力パネルにおいて、前記画像生成部により生成された描画データに基づいて画像表示を行う
情報入出力装置。
【請求項１０】
前記入出力パネルが、
互いに対向する第１基板および第２基板と、前記第１基板および第２基板の間に設けられた液晶層とを有する表示パネルと、
前記表示パネル内に形成され、前記第２基板のたわみにより接触可能な第１センサ電極および第２センサ電極と
を有すると共に、
前記第１センサ電極および前記第２センサ電極の接触による電位の変化に基づき、前記外部近接物体の位置に応じた第２基板のたわみ位置を検出し、前記表示パネルにおいて画像表示を行うものである
請求項９に記載の情報入出力装置。
【手続補正２】
【補正対象書類名】明細書
【補正対象項目名】発明の名称
【補正方法】変更
【補正の内容】
【発明の名称】情報入力装置、情報入力方法および情報入出力装置
【手続補正３】
【補正対象書類名】明細書
【補正対象項目名】０００１
【補正方法】変更
【補正の内容】
【０００１】
本発明は、外部近接物体に関する情報を入力するための情報入力装置および情報入力方法、ならびにそのような情報の入出力を行う情報入出力装置に関する。
【手続補正４】
【補正対象書類名】明細書
【補正対象項目名】０００７
【補正方法】変更
【補正の内容】
【０００７】
本発明はかかる問題点に鑑みてなされたもので、その目的は、外部近接物体に関する情報を入力する際に、簡易な構造で利便性の高い情報入力を行うことが可能な情報入力装置、情報入力方法および情報入出力装置を提供することにある。
【手続補正５】
【補正対象書類名】明細書
【補正対象項目名】０００８
【補正方法】変更
【補正の内容】
【０００８】
本発明の情報入力装置は、外部近接物体を検出する検出機能を有する入力パネルと、この入力パネルにより得られた外部近接物体の検出信号に基づいて、外部近接物体の位置情報および面積情報を取得する位置検出部と、この位置検出部により得られた位置情報および面積情報に基づいて、外部近接物体の挙動に応じた描画処理を行う際に用いられる描画データを、面積情報が示す外部近接物体の面積値に応じた態様で描画処理が行われるように生成する画像生成部とを備えたものである。
【手続補正６】
【補正対象書類名】明細書
【補正対象項目名】０００９
【補正方法】変更
【補正の内容】
【０００９】
本発明の情報入力方法は、外部近接物体を検出する検出機能を有する入力パネルにより得られた外部近接物体の検出信号に基づいて、外部近接物体の位置情報および面積情報を取得し、得られた位置情報および面積情報に基づいて、外部近接物体の挙動に応じた描画処理を行う際に用いられる描画データを、面積情報が示す外部近接物体の面積値に応じた態様で描画処理が行われるように生成するようにしたものである。
【手続補正７】
【補正対象書類名】明細書
【補正対象項目名】００１０
【補正方法】変更
【補正の内容】
【００１０】
本発明の情報入出力装置は、外部近接物体を検出する検出機能と画像表示機能とを有する入出力パネルと、この入出力パネルにより得られた外部近接物体の検出信号に基づいて、外部近接物体の位置情報および面積情報を取得する位置検出部と、この位置検出部により得られた位置情報および面積情報に基づいて、外部近接物体の挙動に応じた描画処理を行う際に用いられる描画データを、面積情報が示す外部近接物体の面積値に応じた態様で描画処理が行われるように生成する画像生成部とを備えると共に、上記入出力パネルにおいて、画像生成部により生成された描画データに基づいて画像表示を行うようにしたものである。
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】変更
【補正の内容】
【００１２】
本発明の情報入力装置、情報入力方法および情報入出力装置では、入力パネルまたは入出力パネルにより得られた外部近接物体の検出信号に基づいて、外部近接物体の位置情報および面積情報が取得される。そして、得られた位置情報および面積情報に基づいて、外部近接物体の挙動に応じた描画処理を行う際に用いられる描画データが、面積情報が示す外部近接物体の面積値に応じた態様で描画処理が行われるように生成される。すなわち、外部近接物体の接触圧力を検出することなく、得られた位置情報および面積情報に基づいて、その面積情報が示す外部近接物体の面積値に応じた外部近接物体の描画データの生成が可能となる。
【手続補正１０】
【補正対象書類名】明細書
【補正対象項目名】００１３
【補正方法】変更
【補正の内容】
【００１３】
本発明の情報入力装置、情報入力方法または情報入出力装置によれば、入力パネルまたは入出力パネルにより得られた外部近接物体の検出信号に基づいて、外部近接物体の位置情報および面積情報を取得すると共に、得られた位置情報および面積情報に基づいて、上記描画データを、その面積情報が示す外部近接物体の面積値に応じた態様で描画処理が行われるように生成するようにしたので、外部近接物体の接触圧力を検出することなく、その面積値に応じた外部近接物体の描画データを生成することができる。よって、外部近接物体に関する情報を入力する際に、簡易な構造で利便性の高い情報入力を行うことが可能となる。
【手続補正１１】
【補正対象書類名】明細書
【補正対象項目名】００１５
【補正方法】変更
【補正の内容】
【００１５】
［第１の実施の形態］
図１は、本発明の第１の実施の形態に係る情報入出力装置１の概略構成を表すものである。また、図２〜図５は、情報入出力装置１における入出力パネル（後述する入出力パネル１１）の詳細構成を表すものである。この情報入出力装置１は、ディスプレイ１０と、このディスプレイ１０を利用する電子機器本体２０とを備えたものである。ディスプレイ１０は、入出力パネル１１、表示信号処理部１２、検出信号処理部１３および画像処理部１４を有し、電子機器本体２０は、制御部２１を有する。なお、本発明の第１の実施の形態に係る情報入力方法および情報入力プログラムは、本実施の形態の情報入出力装置１において具現化されるため、以下併せて説明する。
【手続補正１２】
【補正対象書類名】明細書
【補正対象項目名】００３５
【補正方法】変更
【補正の内容】
【００３５】
次いで、Ｗｒｉｔｅスイッチがオフ状態となったのち、タイミングＴ２において、図１２（Ａ）に示したように、ゲートラインＧＬを介して画素トランジスタ５１のゲートへ電位Ｖｇｎが印加され、画素トランジスタ１１がオン状態となる。
【手続補正１３】
【補正対象書類名】明細書
【補正対象項目名】００６７
【補正方法】変更
【補正の内容】
【００６７】
例えば、本発明の情報入出力装置は、上記実施の形態で説明した情報入出力装置１だけでなく、例えば図１７に示したような情報入出力装置２にも適用することが可能である。この画像入出力装置２は、上記実施の形態に係る画像入出力装置１と比較して、画像処理部１４が電子機器本体２０に設けられた点が異なっている。すなわち、この画像入出力装置２は、表示信号処理部１２、入出力パネル１１（または入出力パネル１１Ａ）および検出信号（受光信号）処理部１３がディスプレイ１０に設けられ、制御部２１および画像処理部１４が電子機器本体２０に設けられたものである。このような情報入出力装置２であっても、上記実施の形態に係る情報入出力装置１と同様の効果を奏することができる。